(57)【特許請求の範囲】
【請求項１】
シンボル列の移動表示が可能であって、停止時に機体前面に複数個のシンボルを停止表示するシンボル表示部が、前記シンボルの停止表示数と同じ数だけ一列に配置されるとともに、前記シンボル表示部毎のシンボル停止表示位置を結ぶ第１の入賞ラインが複数設定され、
少なくとも１つのシンボル表示部が表示するシンボル列には、入賞用のシンボル組合せを構成するシンボルがその組合せに応じた並び順で配置された部分が含まれるとともに、このシンボル表示部のシンボル列に沿って第２の入賞ラインが設定され、
入賞を成立させるか否かを決める抽選を遊技者の始動操作に応じて行う抽選手段と、
前記各シンボル表示部の移動表示をそれぞれ遊技者の停止操作に応じて停止させるとともに、前記抽選に当選しているときは、所定の入賞ラインに前記入賞用のシンボル組合せが成立し、前記抽選にはずれたときは、いずれの入賞ラインにも入賞用のシンボル組合せが成立しないように、各シンボル表示部の移動表示の停止タイミングを制御する停止制御手段とを具備するスロットマシンにおいて、
前記停止制御手段は、移動表示中のシンボル表示部が残り１つになる前に前記第２の入賞ラインが設定されたシンボル表示部に対する停止操作が行われたときは、この第２の入賞ラインに前記入賞用のシンボル組合せを成立させないタイミングで前記移動表示を停止させ、前記抽選に当選している状態下において前記第２の入賞ラインが設定されたシンボル表示部が最後の停止操作の対象となったときは、前記第２の入賞ラインに前記入賞用のシンボル組合せが成立するタイミングで前記移動表示を停止できるように構成されるスロットマシン。
【請求項２】
請求項１に記載されたスロットマシンにおいて、
前記複数のシンボル表示部のすべてに、前記入賞用のシンボル組合せを構成するシンボルがその組合せに応じた並び順に配置された部分を含むシンボル列が設定されるとともに、すべてのシンボル表示部に前記第２の入賞ラインが設定されているスロットマシン。
【発明の詳細な説明】
【０００１】
【産業上の利用分野】
この発明は、機体の前面に複数個のシンボル表示部が一列に配置され、遊技者の始動操作に応じてこれらのシンボル表示部にシンボル列の移動表示を開始させた後、各シンボル列の移動表示を順次停止操作に応じて停止させ、すべてのシンボル列の移動表示が停止したときに、所定の入賞ライン上に成立したシンボルの組合せにより、勝敗を決するようにしたスロットマシンに関する。
【０００２】
【従来の技術】
従来の典型的なスロットマシンは、前面の正面パネルにシンボル表示窓が開設され、このシンボル表示窓内に通常３個のシンボル列を表示するようにしている。各シンボル列は、外周面に複数種のシンボルが描かれたリール、または液晶表示板などの表示板上での画像表示などにより実現するもので、遊技者によるゲーム開始操作があると、リールの回転や表示板上でのシンボルのスクロール表示などにより、各シンボル列が一斉に移動を開始して、各種シンボルが移動している状態で表示される。
【０００３】
前記シンボル表示窓の形成位置には、各シンボル列にかかるように、上、中、下の３本の水平ライン、および右下がり、左下がりの２本の斜めラインが描かれている。前記したシンボル列の移動表示が行われている状態下で、遊技者により各リールの停止操作が順次行われると、対応するシンボル列の移動表示が停止し、すべての移動表示が停止すると、各停止ライン上にそれぞれ３個のシンボルが整列した状態で表示される。このとき有効化された停止ライン（以下これを「入賞ライン」という）上に特定のシンボルの組合せが成立していると入賞となり、遊技者に、所定枚数のメダルの払出しなどの特典が与えられる。
【０００４】
さらに近年では、上、中、下、斜めの５本の入賞ラインに加え、縦方向に沿う３本の入賞ラインを設定し、合計８本の停止ラインのいずれかに特定のシンボルの組合せが成立したときを、入賞となすようにしたスロットマシンが提案されている（特開平８−１０３８３号）。
【０００５】
またパチンコ機においても、３個のシンボル列にそれぞれ３個のシンボル表示位置を設定するとともに、縦３本、横３本、斜め２本の合計８本の入賞ラインを設け、これら８本の入賞ラインのいずれかを選択して、入賞シンボルを整列させるようにした機種が提案されている（特開平１０−８５４０３号）。
【０００６】
【発明が解決しようとする課題】
各シンボル列にかかるラインのみを入賞ラインとする遊技機では、第１、第２の各シンボル列の移動表示が停止した段階で、いずれのライン上にも入賞シンボルの組合せが整列しない場合、この段階で入賞への望みが絶たれてしまうことになる。したがって遊技者は、第３のシンボル列の停止動作に注意を払わなくなり、停止操作を惰性で行うようになる。
【０００７】
一方、各シンボル列にかかる入賞ラインに加え、個々のシンボル列に沿って縦方向のラインを入賞ラインとした遊技機では、第１または第２のシンボル列が停止した時点で縦方向の入賞ライン上に入賞シンボルが整列して、入賞が確定してしまう可能性がある。特にスロットマシンでは、２本以上の入賞ラインに同時に入賞を発生させる「ダブル入賞」が禁止されているため、このようにゲームの途中で入賞が確定してしまうと、遊技者は、残りのシンボル列の停止動作になんら関心をもたなくなって、前記と同様に惰性的な停止操作を行うようになる。
【０００８】
この発明は上記問題点に着目してなされたもので、抽選に当選しており、かつ最後に停止させるシンボル表示部にそのシンボル列に沿う入賞ラインが設定されているときのみ、当該入賞ラインに入賞用のシンボル組合せが成立される可能性を設定することにより、最後のシンボル列が停止するまで遊技者の注意を惹きつけて、興趣のあるゲームを展開するスロットマシンを提供することを技術課題とする。
【０００９】
【課題を解決するための手段】
請求項１の発明にかかるスロットマシンでは、シンボル列の移動表示が可能であって、停止時に機体前面に複数個のシンボルを停止表示するシンボル表示部が、前記シンボルの停止表示数と同じ数だけ一列に配置されるとともに、前記シンボル表示部毎のシンボル停止表示位置を結ぶ第１の入賞ラインが複数設定される。また少なくとも１つのシンボル表示部が表示するシンボル列には、入賞用のシンボル組合せを構成するシンボルがその組合せに応じた並び順で配置された部分が含まれるとともに、このシンボル表示部のシンボル列に沿って第２の入賞ラインが設定され、入賞を成立させるか否かを決める抽選を遊技者の始動操作に応じて行う抽選手段と、前記各シンボル表示部の移動表示をそれぞれ遊技者の停止操作に応じて停止させるとともに、前記抽選に当選しているときは、所定の入賞ラインに前記入賞用のシンボル組合せが成立し、前記抽選にはずれたときは、いずれの入賞ラインにも入賞用のシンボル組合せが成立しないように、各シンボル表示部の移動表示の停止タイミングを制御する停止制御手段とを具備する。
さらに前記停止制御手段は、移動表示中のシンボル表示部が残り１つになる前に前記第２の入賞ラインが設定されたシンボル表示部に対する停止操作が行われたときは、この第２の入賞ラインに前記入賞用のシンボル組合せを成立させないタイミングで前記移動表示を停止させ、前記抽選に当選している状態下において前記第２の入賞ラインが設定されたシンボル表示部が最後の停止操作の対象となったときは、前記第２の入賞ラインに前記入賞用のシンボル組合せが成立するタイミングで前記移動表示を停止できるように構成される。
【００１０】
請求項２の発明では、前記複数のシンボル表示部のすべてに、前記入賞用のシンボル組合せを構成するシンボルがその組合せに応じた並び順に配置された部分を含むシンボル列が設定されるとともに、すべてのシンボル表示部に前記第２の入賞ラインが設定される。
【００１１】
【作用】
たとえば３個のシンボル表示部が一列に並べて配置され、これらのシンボル表示部毎に３個のシンボル表示位置が設けられている場合、少なくとも１つのシンボル表示部のシンボル列には、入賞用のシンボル組合せ（たとえば「７・７・７」）を構成するシンボルがその組合せに応じた並び順で配置された部分が含まれる。またこのシンボル表示部には、そのシンボル列に沿う第２の入賞ラインが設定される。
各シンボル表示部は、遊技者の始動操作に応じて移動表示を開始した後に、順次停止操作に応じて停止してゆくが、前記第２の入賞ラインが設定されたシンボル表示部が１番目または２番目に停止するシンボル表示部になる場合には、前記入賞用のシンボル組合せが第２の入賞ラインに成立しないような停止制御が実施される。一方、抽選に当選している状態下で最後に停止するシンボル表示部に第２の入賞ラインが設定されている場合には、この第２の入賞ラインに入賞用のシンボル組合せを成立させることが可能になる。
【００１２】
このように、各シンボル表示部のシンボル停止表示位置を結ぶ第１の入賞ライン以外に、シンボル列に沿って第２の入賞ラインを設定しても、抽選に当選しており、かつ最後に停止操作されるシンボル表示部に第２の入賞ラインが設定されていない限り、第２の入賞ラインに入賞が成立することはない。また２番目のシンボル表示部の移動表示が停止した時点で、どの入賞ライン上にも入賞用のシンボル組合せが成立していなくとも、最後に停止操作されるシンボル表示部に第２の入賞ラインが設定されている場合には、その入賞ライン上に入賞が成立する可能性が残されているので、最後のシンボル列が停止するまで勝敗が判明することがない。
また移動表示中のシンボル表示部が残り１つになる前に行われた停止操作が、第２の入賞ラインに入賞用のシンボル組合せを成立させることが可能なタイミングで行われた場合でも、シンボル列を１駒滑らせて停止させることにより、第２の入賞ラインに入賞のシンボル組合せが成立するのを容易に回避することができる。
【００１３】
請求項２の発明では、複数のシンボル表示部のすべてに、前記入賞用のシンボル組合せに応じた並び順を含むシンボル列と第２の入賞ラインとが設定されるので、抽選に当選している場合には、どのシンボル表示部が最後に停止することになっても、その最後のシンボル表示部のシンボル列に沿う入賞ライン上に入賞が成立する可能性を設定することができる。
【００１４】
【実施例】
図１は、この発明が適用されたスロットマシンの外観を、図２は機体内部の構成を、それぞれ示す。
このスロットマシンの機体１は、ボックス形状の本体部２の前面開口に扉部３を開閉可能に取り付けて成る。前記本体部２の中空内部には、上段位置にリールブロック４、制御回路などが配置された回路基板５などが組み込まれ、下段位置には多数枚のメダルを収容するホッパー６ａを有するメダル放出機６などが組み込まれている。
【００１５】
前記リールブロック４は、金属フレーム７に３個のリール８ａ，８ｂ，８ｃが一体に組み付けられて成る。各リール８ａ，８ｂ，８ｃの外周面には、複数種のシンボルが所定の順序で配備されており、このうちいくつかのシンボルは、入賞シンボルとして機能する。
さらにこのリールブロック４には、各リール８ａ，８ｂ，８ｃを個別に回転駆動するステッピングモータ９ａ，９ｂ，９ｃが組み付けられている。
【００１６】
前記扉部３の本体は、所定の厚みをもたせた金属フレームにより構成され、その前面開口に３枚のパネル１１，１２，１３が、後面に各種表示器や操作スイッチにかかる配線基板（図示せず）などが組み付けられている。
【００１７】
各パネル１１，１２，１３は、透明な合成樹脂板または強化ガラスの表面にシルクスクリーン印刷を施して形成されるもので、中央の正面パネル１１の各リールへの対応位置には、それぞれ無着色で透明のシンボル表示窓２０ａ，２０ｂ，２０ｃが形成される。また上部パネル１２および下部パネル１３には機種名やゲーム情報などが描画される。
【００１８】
正面パネル１１と下部パネル１３との間のフレーム部分には、始動レバー１４，停止釦スイッチ１５ａ，１５ｂ，１５ｃ，メダル投入口１６，ベット釦スイッチ１７ａ，１７ｂ，１７ｃ，精算スイッチ１８，切替スイッチ１９などが配備され、下部パネル１３の下方には、メダル払出口２２，メダル受け皿２３などが設けられる。
【００１９】
各シンボル表示窓２０ａ，２０ｂ，２０ｃは、それぞれ各リール８ａ，８ｂ，８ｃの停止時に、３個のシンボルを表示可能な大きさに形成されており、正面パネル１１の各シンボル表示窓２０ａ，２０ｂ，２０ｃの形成位置には、図３に示すように、各窓毎の上，中，下段のシンボル表示位置にかかるように、水平および斜めの合計５本の停止ラインＬ１〜Ｌ５が表されている。
また正面パネル１１の内側には、蛍光灯より成る照明装置２１が配設されている。電源投入後、照明装置２１は常時点灯し、各リール８ａ，８ｂ，８ｃの外周面に斜め上方より照明が施される。
【００２０】
さらにこの実施例では、各シンボル表示窓２０ａ，２０ｂ，２０ｃ内の各シンボル表示位置に沿って縦方向の停止ラインＬ６〜Ｌ８を設定するとともに、各リール８ａ，８ｂ，８ｃのリール周面に、それぞれ同種の入賞シンボルが３個連続する箇所を、少なくとも一箇所、設けるようにしている。
【００２１】
なおこの実施例では、機械式のリール８ａ，８ｂ，８ｃによりシンボル列を移動させて表示するようにしているが、これらリール８ａ，８ｂ，８ｃに代えて、ベルトやディスクのような回転体を用いてシンボル列を移動表示するようにしてもよい。また液晶表示板やＣＲＴディスプレイの表示画面上に、シンボルを画像で表示してスクロールすることにより、シンボルを変動表示するようにしてもよい。
【００２２】
この実施例のスロットマシンは、機体内に多数枚のメダルを貯留しておき、その貯留メダルの消費によりゲームを実施するという、いわゆるクレジット型のゲームを実施可能であり、メダル投入口１６からのメダル投入、またはベット釦スイッチ１７ａ〜１７ｃの押操作による貯留メダルの消費により、ゲーム開始可能な状態が設定される。
【００２３】
なお各ベッド釦スイッチのうち、正面パネル１１の下方の張出し面上に設けられたスイッチ１７ａは、最大投入枚数である３枚の貯留メダルを消費するためのもの、フレームの垂直面上に配置されたスイッチ１７ｂ，１７ｃは、それぞれ２枚、１枚の貯留メダルを消費するためのものである。
また精算スイッチ１８は、内部に貯留されたメダルを精算して、メダル払出口２２よりメダル受け皿２３へ払い出しさせる際に操作される。また切替スイッチ１９は、貯留メダルによるメダル投入方式、メダル投入口１６から直接メダルを投入する方式のいずれかを選択するためのものである。
【００２４】
メダル投入口１６からの、またはいずれかベッド釦スイッチ２４ａ，２４ｂ，２４ｃの操作によるメダル投入枚数が１枚であれば、中央の停止ラインＬ１および縦方向の３本の停止ラインＬ６〜Ｌ８（以下単に「縦ラインＬ６〜Ｌ８」という）が入賞ラインとして有効化される。またメダル投入枚数が２枚であれば、上、中、下の３本の停止ラインＬ１〜Ｌ３および縦ラインＬ６〜Ｌ８が、３枚であれば、すべての停止ラインＬ１〜Ｌ８が、それぞれ入賞ラインとして有効化される。
【００２５】
なお図３の例では、各縦ラインＬ６〜Ｌ８を、水平、斜めの各停止ラインＬ１〜Ｌ５と区別して仮想的に示してあるが、特に縦ラインＬ６〜Ｌ８を明示してはならないというものではなく、すべての停止ラインＬ１〜Ｌ８を同様の態様でシンボル表示窓上に描画するようにしてもよい。
【００２６】
上記構成のスロットマシンにおいて、遊技者によるメダル投入操作（前記したメダル投入、またはベット釦スイッチ２４ａ〜２４ｃの操作のいずれかを意味する）で所定数の停止ラインが有効化され、ついで始動レバー１４の操作により全てのリール８ａ，８ｂ，８ｃが一斉に始動すると、後記する制御回路部２５内で抽選処理が行われ、有効ライン上に入賞のシンボルの組合せを整列表示させるかどうかが決定される。そしてこの抽選が「当たり」になると、その後、制御回路部２５は、停止釦スイッチ１５ａ，１５ｂ，１５ｃが操作される都度、対応するリール８ａ，８ｂ，８ｃに対し、いずれかの入賞ライン上に同じ入賞シンボルを揃えて停止させるための引込み制御を実施し、入賞を成立させる。
【００２７】
ただし入賞ラインとして有効化されたすべての停止ラインについてこの引込み制御を実施すると、第１番目または２番目のリールが停止した段階で、そのリールに対応する縦ライン上に入賞のシンボルが３個整列し、最終のリールが停止する前に入賞が成立してしまうという不具合が生じる。
【００２８】
そこでこの実施例では、図４（１）（２）（３）に示すように、１番目、２番目に停止操作されたリールに対しては、対応する縦ライン上に入賞シンボルが整列しないようなタイミングでリールを停止させ、最終に停止させるリールに対してのみ、そのリールに対応する縦ラインを入賞シンボルを引き込むためのラインとして有効化し、前記抽選が「当たり」のとき、その縦ライン上にリール上の３個の入賞シンボルが整列させるようなリール停止制御を実施している。
【００２９】
なお図４（１）（２）（３）の例では、各リール８ａ，８ｂ，８ｃ毎に、連続的に配置する入賞シンボルを異なる種類のものに設定しているが、これに限らず、各リール８ａ，８ｂ，８ｃとも同種の入賞シンボルを採用するようにしてもよい。また必ずしも同種の入賞シンボルを連続させる必要はなく、異なる種類のシンボルを所定の順序で並べる方式に代えてもよい。また入賞シンボルを連続させる箇所はリールの１箇所に限らず、複数箇所に設定してもよい（この場合、勿論、設定箇所毎にシンボルの種類を変えることが可能である）。
【００３０】
さらに上記実施例では、３個のリールすべてを、縦ライン上での入賞が可能なように設定しているが、遊技者の停止操作の順序について統計をとり、最終的に操作される頻度の高いリールのみを、縦ライン上での入賞が可能なように設定してもよい。またリールの数やリール毎のシンボル表示位置の数は、この実施例に限定されるものではなく、例えば４個のリールを配備したり、シンボル表示位置を４個にした機種でも、同様の設定を行うことが可能である。
【００３１】
図５は、上記スロットマシンの電気的構成を示す。
図中、制御回路部２５はマイクロコンピュータより成り、制御主体であるＣＰＵ２７，制御プログラム、各リールのシンボル配列テーブル、抽選用の参照テーブルなどが記憶されるＲＯＭ２８，データの読み書きに用いられるＲＡＭ２９，抽選用の乱数発生器３０などを含む。
【００３２】
前記制御回路部２５にはバス２６を介して、始動レバー１４，各停止釦スイッチ１５ａ，１５ｂ，１５ｃ，ベット釦スイッチ１７ａ，１７ｂ，１７ｃ，精算スイッチ１８，切換スイッチ１９，メダル検知センサ３１などの入力各部や、リール駆動部３２，メダル払出機６，表示回路３３などの出力各部が接続される。
【００３３】
前記メダル検知センサ３１は、メダル投入口１６の内側に配備されて、機体内部へのメダルの投入を検出する。リール駆動部３２は、各リール８ａ，８ｂ，８ｃのステッピングモータ９ａ，９ｂ，９ｃを駆動して、各リール８ａ，８ｂ，８ｃを回転および停止させるためのものである。また表示回路３３は、機体前面部の各種表示器の表示動作を制御するためのものである。
【００３４】
なお前記したリールの引込み制御は、前記ステッピングモータ９ａ，９ｂ，９ｃのパルス数を計数しつつその計数値をＲＯＭ２８内のシンボル配列テーブルと比較することにより、各リール８ａ，８ｂ，８ｃの回転位置を検出するとともに、遊技者の停止操作に応じて、対応するリールを所定の駒数分だけ滑らせることにより、入賞のシンボル表示位置に目的とする入賞シンボルを引き込んで停止させるものであるが、この構成および制御は公知のものであるので、ここでは詳細な説明は省略する。
【００３５】
図６は、前記制御回路部２５によるスロットマシンの一連の制御の流れを示す。なお図中、「ＳＴ」は、制御の各ステップを意味する。
まずＳＴ１において、遊技者によるメダル投入操作があると、ＣＰＵ２７は、つぎのＳＴ２で、その投入枚数に応じた停止ラインを、入賞ラインとして有効化する。
【００３６】
さらに遊技者により始動レバー１４が操作されると、ＳＴ３が「ＹＥＳ」となり、これを受けてＣＰＵ２７は、続くＳＴ４で、各リール８ａ，８ｂ，８ｃを一斉に回転させた後、ＳＴ５で入賞を成立させるかどうかの抽選を実施する。
なおこの抽選は、具体的には、前記乱数発生器３０からの乱数値を取り込んで、その値をＲＯＭ２８内の抽選テーブルと照合することにより行われる。
【００３７】
すべてのリール８ａ，８ｂ，８ｃの始動後、遊技者により最初の停止操作が行われると、ＳＴ６が「ＹＥＳ」、ＳＴ７が「ＮＯ」となり、ＣＰＵ２７は、前記の抽選結果をチェックする（ＳＴ８）。そしてこの抽選が当たりであれば、ＳＴ８からＳＴ９へと進んで、設定された入賞ラインのうち、縦ラインＬ６〜Ｌ８を除くいずれかの入賞ライン上への入賞シンボルの引込みが可能であるかどうかがチェックされる。この判定が「ＹＥＳ」であれば、ＳＴ１０へと進んで、前記停止操作されたリールに対し、ＳＴ９の判定結果に基づく引込み制御が行われた結果、目的とする入賞ライン上に入賞シンボルが引き込まれて停止表示される。
【００３８】
一方、停止操作位置から定められた駒数内に入賞シンボルが存在しない場合には、ＳＴ９が「ＮＯ」となってＳＴ１１に進み、停止操作されたリールは、原則として、停止操作位置で停止するように制御される。ただし、その制御により各シンボル停止位置に３個の入賞シンボルが停止する場合は、ＣＰＵ２７は、前記リールを停止操作位置から所定駒数だけ滑らせて停止させ、縦ライン上での入賞シンボルの整列を回避する。
この場合、リールを１駒滑らせて停止させるだけで、前記３個の入賞シンボルのうちの最下位のシンボルをシンボル表示窓外へと移動させることができるので、縦ライン上での入賞成立を、容易に回避することができる。
なお前記抽選がはずれている場合には、ＳＴ８が「ＮＯ」となるが、この場合も同様にＳＴ１１へと移行して、停止操作されたリールに対し、縦ライン上に入賞シンボルが整列しないようなリール停止制御が実施される。
【００３９】
第２の停止操作に対しても、前記第１の停止操作時と同様の制御が実施され、さらに第３の停止操作がなされると、ＳＴ６，７がともに「ＹＥＳ」となってＳＴ１２以下の手順へと移行する。
まずＳＴ１２において、ＣＰＵ２７は、再び前記抽選結果をチェックする。この抽選が当たりの場合は、ＳＴ１２からＳＴ１３へと進んで、縦ラインを含む有効化されたいずれかの停止ライン上に入賞シンボルを整列させることが可能であるかどうかがチェックされる。
【００４０】
停止操作位置から定められた駒数分だけリールを滑らすことにより、いずれかの停止ライン上に入賞シンボルを整列させることが可能な場合は、ＳＴ１３が「ＹＥＳ」となり、ＣＰＵ２７は、ＳＴ１４で、この判定に基づくリール停止制御を実施して入賞を成立させた後、続くＳＴ１５で前記メダル払出機６を駆動して、メダル払出口１７より所定枚数のメダルを放出させて、処理を終了する。
【００４１】
なおいずれの停止ライン上にも入賞シンボルを整列させられない場合はＳＴ１３からＳＴ１６へと移行し、停止操作されたリールは、原則として、停止操作のタイミングに合わせて停止するように制御される。
また前記抽選がはずれの場合は、ＳＴ１２からＳＴ１７へと進んで、停止操作されたリールは、原則として、停止操作のタイミングに合わせて停止することになる。ただし、この停止タイミングがいずれかの入賞ライン上に入賞シンボルが整列するタイミングに合ってしまう場合には、ＣＰＵ２７は、そのライン上での入賞成立を回避するために、前記リールを所定駒数分だけ滑らせて停止させる。
【００４２】
上記のような制御によれば、２番目のリールが停止した時点で、横方向または斜め方向にかかるライン上での入賞の可能性がなくなったとしても、最終のリールの停止により、その縦ライン上での入賞が成立する可能性が残されているので、遊技者は、最終のリールが停止するまで入賞に対する期待感を喪失せず、リールの動作に最後まで集中するようになる。また１番目または２番目のリールが停止した時点では縦ライン上に入賞シンボルが整列することがないので、最終のリールが停止する前に勝敗が決定することがなく、最終のリール停止操作も、集中した状態で行われるようになる。
【００４３】
さらに抽選が当たっており、１番目、２番目の停止操作が行われた段階で、水平または斜めの入賞ライン上に入賞シンボルが整列した場合、遊技者は、当然ながら最後のリールの停止時にも、この入賞ライン上に入賞シンボルが停止するものと予想することになるが、ここで縦ライン上に入賞を成立させることにより遊技者に意外感を与え、ゲームの興趣を高めることができる。
【００４５】
【発明の効果】
この発明によれば、シンボル列に沿う第２の入賞ラインを設定しても、最後のシンボル表示部の移動表示が停止する前にゲームの勝敗が決定してしまうことがないので、遊技者の入賞に対する期待感を最後まで持続させることが可能になる。
また、移動表示中のシンボル表示部が残り１つになった時点で、第１の入賞ラインのいずれかに入賞用のシンボル組合せが成立する可能性がある場合には、遊技者は、最後のシンボル表示部でも、同じ入賞ライン上に入賞シンボルが停止するものと予想するが、この予想に反して第２の入賞ライン上に入賞用のシンボル組合せを成立させることができ、遊技者に意外感を与えてゲームの興趣を高めることができる。
【００４６】
さらに請求項２の発明では、複数のシンボル表示部のすべてに、前記入賞用のシンボル組合せに応じた並び順を含むシンボル列とそのシンボル列に沿う第２の入賞ラインとが設定されるので、抽選に当選している場合には、どのシンボル表示部が最後に停止することになっても、その最後のシンボル表示部の第２の入賞ライン上に入賞が成立する可能性を設定することができ、遊技者の入賞に対する期待感をますます高めることができる。
【図面の簡単な説明】
【図１】この発明の一実施例にかかるスロットマシンの外観を示す斜視図である。
【図２】スロットマシンの内部構成を示す正面図である。
【図３】正面パネルの構成を示す正面図である。
【図４】この発明によるリール停止制御例を示す説明図である。
【図５】スロットマシンの電気的構成を示すブロック図である。
【図６】スロットマシンの制御手順を示すフローチャートである。
【符号の説明】
８ａ，８ｂ，８ｃ  リール
２７  ＣＰＵ
Ｌ６，Ｌ７，Ｌ８  縦入賞ライン
【図１】
0003811299.tif 000002
【図２】
0003811299.tif 000003
【図３】
0003811299.tif 000004
【図４】
0003811299.tif 000005
【図５】
0003811299.tif 000006
【図６】
0003811299.tif 000007